(57)【要約】【課題】網戸ユニットの調整を容易に行うことのできる下枠フラットサッシを提供する。【解決手段】枠体１内に障子３を開閉自在に納め、障子３の室外側には網戸ユニット４０が設けられ、下枠１１は、障子３を走行させるレール部１１ｂを備え、上面が室内外に渡って略平坦に形成され、網戸ユニット４０は網戸４３と、網戸４３の先端上下に渡って設けられるスライドバー４１と、網戸４３を巻き取り式に収納自在な収納部４２とからなり、収納部４２は網戸４３の下端よりも下方に延びる下端部４２ａを有し、下端部４２ａは下枠１１の上面よりも下方に埋設され、収納部４２は下端部４２ａ以外における室内面及びスライドバー４１より室内側の内周面が開閉自在または取外し自在とされてなる。【選択図】図９
2009299444.tif 000002
【特許請求の範囲】
【請求項１】
建物開口部に設けられる枠体内に障子を開閉自在に納めてなり、前記障子の室外側には網戸ユニットが設けられ、前記枠体を構成する下枠は、前記障子を走行させるレール部を備えると共に、上面が室内外に渡って略平坦に形成されてなる下枠フラットサッシにおいて、
前記網戸ユニットは網戸と、該網戸の先端上下に渡って設けられるスライドバーと、前記網戸を巻き取り式に収納自在な収納部とからなり、該収納部は前記網戸の下端よりも下方に延びる下端部を有し、該下端部は前記下枠の上面よりも下方に埋設され、
前記収納部は前記下端部以外における室内面及び前記スライドバーより室内側の内周面が開閉自在または取外し自在とされてなることを特徴とする下枠フラットサッシ。
【請求項２】
前記収納部の下端部は前記取り外し部の室内面端部を回動自在に保持する回転係合部を備え、該回転係合部を中心として前記取り外し部が室内側に向かって回動自在とされてなることを特徴とする請求項１記載の下枠フラットサッシ。
【請求項３】
前記取り外し部の前記スライドバー側端部は、室内側に面する突き当て面部を有し、該突き当て面部は前記スライドバーに当接すると共に、前記突き当て面部の室外側で前記収納部の下端部に対し係合固定されることを特徴とする請求項１または２記載の下枠フラットサッシ。
【発明の詳細な説明】
【技術分野】
【０００１】
本発明は、枠体内に障子を開閉自在に納めてなり障子の室外側には網戸ユニットを配置した下枠フラットサッシに関し、特に網戸ユニットが配置された部分を含めて下枠の上面を略平坦とした下枠フラットサッシに関する。
【背景技術】
【０００２】
従来、建物開口部に設けられる枠体内に障子を納めてなるサッシにおいて、下枠に設けられる障子用のレール部を室内側の床面と略同じ高さとし、下枠上面を略平坦としてなる下枠フラットサッシが知られている。これは、下枠上面を略平坦とすることにより、サッシ内外を通りやすくし、特に車椅子の走行を容易とするので、バリアフリーに対応することのできるものである。
【０００３】
開閉する障子の室外側には網戸が設けられる。網戸は開閉自在とすることが必要で、従来の下枠フラットサッシにおいては、下枠の室外端部上面に網戸レールを設け、この網戸レール上を走行自在な網戸を設けていた。このように網戸を有する下枠フラットサッシとしては、例えば特許文献１に挙げるようなものがある。
【特許文献１】特開２００５−２３２９５２号公報
【発明の開示】
【発明が解決しようとする課題】
【０００４】
網戸レール上を走行する網戸を設けた場合、網戸が開閉状態のいずれにおいても露出するため、意匠上、好ましくないという問題があった。また、内障子を片引き形式の可動障子とし、外障子を固定障子とし、かつ固定障子の框体の見付面が枠体の内周面より内周側に突出しないようにした場合、外障子のさらに室外側に網戸を設けるのは困難であり、また固定障子の側方に網戸を配置することもできない。このため、巻き取り式に収納自在な網戸を有した網戸ユニットを外障子である固定障子の側方に設けることが考えられる。
【０００５】
ここで、取付場所の状況によっては、網戸の収納速度等を調整する必要がある。調整は網戸ユニットを構成する収納部内に設けられた調整部を操作することによって行われるが、操作部は収納部内にあるため、調整を行うためには網戸ユニットを一旦分解しなければ操作が行えず、調整が必要となる際に作業が煩雑になるという問題があった。また、下枠フラットサッシに網戸ユニットを取付ける場合には、網戸ユニットの一部が枠体内に埋設されることとなるため、調整を行うためには網戸ユニットを取り外す必要もあり、さらに作業を煩雑にしていた。
【０００６】
本発明は前記課題を鑑みてなされたものであり、網戸ユニットの調整を容易に行うことのできる下枠フラットサッシを提供することを目的とする。
【課題を解決するための手段】
【０００７】
前記課題を解決するため、本発明に係るサッシは、建物開口部に設けられる枠体内に障子を開閉自在に納めてなり、前記障子の室外側には網戸ユニットが設けられ、前記枠体を構成する下枠は、前記障子を走行させるレール部を備えると共に、上面が室内外に渡って略平坦に形成されてなる下枠フラットサッシにおいて、
前記網戸ユニットは網戸と、該網戸の先端上下に渡って設けられるスライドバーと、前記網戸を巻き取り式に収納自在な収納部とからなり、該収納部は前記網戸の下端よりも下方に延びる下端部を有し、該下端部は前記下枠の上面よりも下方に埋設され、
前記収納部は前記下端部以外における室内面及び前記スライドバーより室内側の内周面が開閉自在または取外し自在とされてなることを特徴として構成されている。
【０００８】
また、本発明に係るサッシは、前記収納部の下端部は前記取り外し部の室内面端部を回動自在に保持する回転係合部を備え、該回転係合部を中心として前記取り外し部が室内側に向かって回動自在とされてなることを特徴として構成されている。
【０００９】
さらに、本発明に係るサッシは、前記取り外し部の前記スライドバー側端部は、室内側に面する突き当て面部を有し、該突き当て面部は前記スライドバーに当接すると共に、前記突き当て面部の室外側で前記収納部の下端部に対し係合固定されることを特徴として構成されている。
【発明の効果】
【００１０】
本発明に係るサッシによれば、網戸ユニットは網戸と、網戸の先端上下に渡って設けられるスライドバーと、網戸を巻き取り式に収納自在な収納部とからなり、収納部は網戸の下端よりも下方に延びる下端部を有し、下端部は下枠の上面よりも下方に埋設され、収納部は下端部以外における室内面及びスライドバーより室内側の内周面が開閉自在または取外し自在とされてなることにより、収納部の内部に網戸の調整部が設けられている場合に、下枠を分解することなく室内側から容易に調整を行うことができる。
【００１１】
また、本発明に係るサッシによれば、収納部の下端部は取り外し部の室内面端部を回動自在に保持する回転係合部を備え、回転係合部を中心として取り外し部が室内側に向かって回動自在とされてなることにより、取り外し部を回動操作により容易に取り外しあるいは開閉することができる。
【００１２】
さらに、本発明に係るサッシによれば、取り外し部のスライドバー側端部は、室内側に面する突き当て面部を有し、突き当て面部はスライドバーに当接すると共に、突き当て面部の室外側で収納部の下端部に対し係合固定されることにより、取り外し部の固定部分を露出させないようにすることができると共に、突き当て面部を室内側から引っ張ることで、容易に取り外し部の開閉あるいは取り外しを行うことができる。
【発明を実施するための最良の形態】
【００１３】
本発明の実施形態について、図面に沿って詳細に説明する。図１には、本実施形態における下枠フラットサッシの正面図を示している。この図に示すように、本実施形態における下枠フラットサッシは、建物開口部に設けられる枠体１内に、外障子として固定障子２を納め、内障子として片引き形式の可動障子３を納めて構成されている。なお、図１は下枠フラットサッシを室外側から見たものである。
【００１４】
枠体１は、上枠１０と下枠１１及び左右の縦枠１２、１２を方形状に枠組みして構成される。枠体１内に納められる固定障子２は、上框２０と下框２１、枠側縦框２２及び召合せ框２３を方形状に框組みしてなる固定框体４内にガラス板からなるパネル体６を納めて構成される。また、枠体１内に納められる可動障子３は、上框３０と下框３１、枠側縦框３２及び召合せ框３３（図１には表れていない）を方形状に框組みしてなる可動框体５内にガラス板からなるパネル体６を納めて構成される。
【００１５】
枠体１内において、固定障子２は室外側寄りに、可動障子３は室内側寄りに、それぞれ納められており、可動障子３は固定障子２の室内側において左右方向に移動し、開閉することができるようにされている。また、固定障子２においては、固定框体４が枠体１の室外側見付面を略覆うようにされており、室外側から見て枠体１が目立たないようにしている。なお、枠体１の室外側寄りであって、可動障子３の室外側には、網戸ユニット４０が配置されるが、図１では省略している。
【００１６】
図２には下枠フラットサッシの縦断面図を、図３には下枠フラットサッシの横断面図を、それぞれ示している。枠体１を構成する上枠１０は、外周面側において建物躯体に対して固定され、内周面の室外側に対向するように固定障子２が配置されると共に、室内側には可動障子３を長手方向に沿って案内する外レール部１０ｂが形成されている。
【００１７】
また、上枠１０は金属製の金属上枠１０ａが断面中空状に形成され、金属上枠１０ａの内周面における室内側露出部分は樹脂上枠１３により覆われる。樹脂上枠１３は、室外端部が固定障子２の室内端と近接し、外レール部１０ｂの室内露出面を構成すると共に、室内端部は見付方向内側に突出した室内側部１０ｃとされている。室内側部１０ｃの先端は、固定障子２の固定框体４における内周面位置と略同じ面内に配置されるので、室内側から固定障子２の固定框体４を見えにくくし、意匠性の向上が図られている。
【００１８】
枠体１を構成する下枠１１は、外周面側において建物躯体に対して固定され、内周面の室外側に対向するように固定障子２が配置され、その室内側には可動障子３を長手方向に沿って走行自在とするレール部１１ｂが突出状に形成される。
【００１９】
また、下枠１１は金属製の金属下枠１１ａが断面中空状に形成され、その上面を覆うように樹脂下枠１４が設けられる。樹脂下枠１４の上面は、室外端から室内端に渡るまで、レール部１１ｂの上端と略面一状とされており、これによって下枠１１の敷居面を略平坦状とした下枠フラットサッシを構成している。樹脂下枠１４は、固定障子２が設けられる側においては、固定障子２の室内端部から下枠１１の室内端部に渡って設けられ、可動障子３が設けられる側においては、レール部１１ｂから下枠１１の室内端部に渡って設けられる。なお、可動障子３が設けられる側のレール部１１ｂより室外側には、網戸ユニット４０から引き出される網戸を案内する樹脂製の網戸アタッチ材６０が設けられており、網戸アタッチ材６０の上面も、樹脂下枠１４の上面と略同じ高さとなるようにされている。
【００２０】
枠体１を構成する縦枠１２は、外周面側において建物躯体に対して固定され、図中左側の縦枠１２の内周面には、固定障子２が固定される。また、図中右側の縦枠１２の内周面には、室内側に可動障子３が対向配置されると共に、室外側に引き出し自在な網戸ユニット４０が配置固定される。縦枠１２の室外端部には、内周側に向かって突出する室外面部１２ｂが形成されており、網戸ユニット４０は室外面が室外面部１２ｂで覆われるようになっている。これにより、網戸ユニット４０が室外側に露出せず、意匠性を高めることができる。なお、室外面部１２ｂは、縦枠１２に一体的に形成されているが、別部品として縦枠１２に取付けるようにしてもよい。
【００２１】
固定障子２が設けられる側の縦枠１２は、金属縦枠１２ａとその室内側内周面を覆う樹脂縦枠１５とからなっている。また、可動障子３が設けられる側の縦枠１２は、金属縦枠１２ａが設けられるがその内周面を覆う樹脂枠は設けられていない。ただし、金属縦枠１２ａの室内側面には樹脂製の防露枠１７が設けられ、また室内端部に設けられるアングル部１６の内周面は、樹脂アングル部１６ｂで覆われる。なお、防露枠１７は上枠１０と下枠１１、及び固定障子２が設けられる側の縦枠１２にも設けられる。
【００２２】
枠体１の室内側端部には、四周に渡ってアングル部１６が室内側に向かって突出するように設けられている。アングル部１６は、枠体１の室内側に四周に渡って設けられる額縁材の内周面に当接し、枠体１と額縁材が連続状となるようにしている。
【００２３】
固定障子２の固定框体４を構成する上框２０と召合せ框２３は、それぞれ金属上框２０ａ、金属召合せ框２３ａの室内側に樹脂上框２４、樹脂召合せ框２５を設けて構成されている。一方で、固定框体４を構成する下框２１と枠側縦框２２は、それぞれ金属下框２１ａ、金属縦框２２ａにより構成されており、金属下框２１ａの室内側には、樹脂下枠１４が固定され、また金属縦框２２ａの室内側には、樹脂縦枠１５が固定される。
【００２４】
樹脂下枠１４は、上面の室外端部が金属下框２１ａの室内面内周端部に係合固定されており、したがって、金属下框２１ａは全体が樹脂下枠１４の上面よりも下方に配置される。これにより、金属下框２１ａは室内側に直接露出しないこととなり、意匠性を高めることができる。
【００２５】
樹脂縦枠１５は、内周面の室外端部が金属縦框２２ａの室内面内周端部に係合固定されている。このため金属縦框２２ａは全体が樹脂縦枠１５の内周面よりも外周側に配置される。これにより、金属下框２１ａと同様、金属縦框２２ａも室内側に直接露出しないこととなり、意匠性を高めることができる。
【００２６】
このように、固定障子２を構成する固定框体４について、上框２０と召合せ框２３にのみ樹脂框を取付け、下框２１と枠側縦框２２には室内面内周端部に樹脂枠が係合されるようにしたことで、少ない部品による簡易な構造によって室内側露出部分を樹脂材で覆った下枠フラットサッシを構成することができる。
【００２７】
可動障子３を構成する上框３０は、室外側の金属上框３０ａと室内側の樹脂上框３０ｂとからなっている。同様に下框３１は金属下框３１ａと樹脂下框３１ｂにより、枠側縦框３２は金属縦框３２ａと樹脂縦框３２ｂにより、召合せ框３３は金属召合せ框３３ａと樹脂召合せ框３３ｂにより、それぞれ構成されている。
【００２８】
次に、網戸ユニット４０について説明する。図４には、網戸ユニット４０の斜視図を示している。この図に示すように、網戸ユニット４０は網戸４３を巻き取り状に収納する箱状の収納部４２と、収納部４２から網戸４３を引き出すスライドバー４１とを有して構成されている。収納部４２においてスライドバー４１の下端より下方は、下端部４２ａとして下方に延出されている。また、収納部４２の上面には突出するボス部４２ｂが形成されており、図４には表れていないが、下端部４２ａの下面にも同様のボス部４２ｂが形成されている。
【００２９】
図５には、網戸ユニット４０が取付けられる領域における下枠フラットサッシの縦断面図を示している。なお、この図では可動障子３は省略している。図５に示すように、この領域においては、下枠１１を構成する金属下枠１１ａの室外側上面に対して下枠アタッチ材５０が取付けられ、下枠アタッチ材５０に対して網戸ユニット４０の下端が取付けられると共に、下枠１１のレール部１１ｂ上端と略同じ高さの上面を有する下網戸アタッチ材５１が下枠アタッチ材５０の上面に取付けられる。
【００３０】
また、上枠１０については、金属上枠１０ａの室外側下面に上枠アタッチ材５４が取付けられ、網戸ユニット４０の上端が上枠アタッチ材５４に取付けられ、さらに上枠アタッチ材５４の下面には上網戸アタッチ材５５が取付けられる。
【００３１】
図６には、上枠１０と下枠１１に対する上枠アタッチ材５４及び下枠アタッチ材５０の取付について表した縦断面図である。図６（ａ）に示すように、金属下枠１１ａの室外側上面には、ピース状の部材からなる台座部材５６が長手方向所定間隔おきに設けられる。この台座部材５６に対して載置するように下枠アタッチ材５０が取付けられる。
【００３２】
下枠アタッチ材５０は、上面に網戸ユニット４０が取付けられるユニット取付面５０ａを有し、ユニット取付面５０ａには、網戸ユニット４０を構成する収納部４２の下端部４２ａに形成されるボス部４２ｂを保持する保持部５０ｂが形成されている。図６（ｂ）に示すように、下枠アタッチ材５０を台座部材５６に対して載置し、さらにビス止めすることで、下枠アタッチ材５０が金属下枠１１ａに固定される。
【００３３】
上枠アタッチ材５４は、下面に網戸ユニット４０が取付けられるユニット取付面５４ａを有し、ユニット取付面５４ａには、収納部４２の上端に形成されるボス部４２ｂを保持する保持部５４ｂが形成されている。図６（ｂ）に示すように、上枠アタッチ材５４の外周面を金属上枠１０ａの内周面に当接させ、さらにビス止めすることにより、上枠アタッチ材５４が金属上枠１０ａに固定される。
【００３４】
図７には、上枠１０と下枠１１にそれぞれ上枠アタッチ材５４と下枠アタッチ材５０を取付け、さらに網戸ユニット４０を取付けた状態の縦断面図を示している。この図に示すように、下枠アタッチ材５０の保持部５０ｂに対して収納部４２の下面に形成されたボス部４２ｂが挿入固定されることで、網戸ユニット４０が下枠アタッチ材５０のユニット取付面５０ａに対して固定される。また、上枠アタッチ材５４の保持部５４ｂに対して収納部４２の上面に形成されたボス部４２ｂが挿入固定されることで、網戸ユニット４０が上枠アタッチ材５４のユニット取付面５４ａに対して固定される。
【００３５】
この状態において、収納部４２の下端部４２ａは、その上端が下枠１１のレール部１１ｂと略同じ高さとなっている。すなわち、収納部４２の下端部４２ａは、下枠１１の敷居面より下方に概ね納められることとなる。
【００３６】
図８には、下枠アタッチ材５０に対する下網戸アタッチ材５１の取付を表した斜視図である。この図に示すように、下網戸アタッチ材５１は網戸ユニット４０の収納部４２及びスライドバー４１の外形状に沿った切欠部５１ｄを備え、下枠アタッチ材５０に対し上方から取付けることができるようにされている。下網戸アタッチ材５１の下面には、下枠アタッチ材５０の保持部５０ｂに対して係合自在な係合部５１ｃが形成されており、これにより下枠アタッチ材５０に対して固定がなされる。
【００３７】
図５にも示すように下網戸アタッチ材５１は長手方向に沿って凹状の下案内凹部５１ｂが形成されており、下案内凹部５１ｂ内にはレール部材５２が配置される。レール部材５２は下案内凹部５１ｂの底面に対しスライド自在となるように取付けられている。また、下案内凹部５１ｂの端部付近は、開口部が幅広となるように切欠かれている。レール部材５２は、図５に示すように開口部５２ａが幅狭状に形成された溝部５２ｂを長手方向に沿って有しており、網戸４３が引き出されるのに伴ってその端部が溝部５２ｂ内を案内されるようになっている。網戸４３の端部には周縁係止部４３ａが形成されており、溝部５２ｂ内を案内される際に網戸４３の端部が溝部５２ｂから抜けないようにされている。
【００３８】
また、スライドバー４１の下端部には、下網戸アタッチ材５１の案内凹部５１ｂの内周面に沿う形状を有したスライド部４１ａが形成されている。これにより、スライドバー４１及び該スライドバー４１に保持された網戸４３が、下網戸アタッチ材５１の案内凹部５１ｂに案内されることとなる。
【００３９】
図９には、下枠アタッチ材５０に下網戸アタッチ材５１を取付けた状態の斜視図を示している。この図に示すように、下網戸アタッチ材５１を下枠アタッチ材５０に取付けたら、レール部材５２をスライドさせて網戸ユニット４０側の端部をスライドバー４１のスライド部４１ａ内に押し込む。そして、押し込んだ分の長さを有する端部レール部材５３を取付ける。
【００４０】
このように組立を行うことで、図５に示すように、下枠アタッチ材５０の上面に下網戸アタッチ材５１が取付けられ、下網戸アタッチ材５１の上面部５１ａは下枠１１のレール部１１ｂと略同じ高さとされ、さらにレール部１１ｂの上端よりも下方位置に配置された収納部４２の下端部４２ａは、ほとんどの領域が下網戸アタッチ材５１により隠されることとなる。また、網戸４３の端部はレール部材５２内に配置され、スライドバー４１のスライド部４１ａは下網戸アタッチ材５１の下案内凹部５１ｂ内に配置され、長手方向に沿ってこれらに案内されるようになっている。
【００４１】
また、上枠１０に取付けられる上枠アタッチ材５４と上網戸アタッチ材５５についても、下枠アタッチ材５０及び下網戸アタッチ材５１と同様の構成を有している。すなわち、上網戸アタッチ材５５は上枠アタッチ材５４の保持部５４ｂに係合固定され、下面には平坦な下面部５５ａが形成され、下面部５５ａの室外側には上案内凹部５５ｂが形成され、上案内凹部５５ｂにはレール部材５２が配置されて、網戸４３の端部が案内されると共に、スライドバー４１の上端部が上案内凹部５５ｂにより長手方向に案内される。
【００４２】
本実施形態の網戸ユニット４０の取付構造によれば、下枠アタッチ材５０及び上枠アタッチ材５４により網戸ユニット４０を上下で簡単に固定し、さらに下網戸アタッチ材５１及び上網戸アタッチ材５５により網戸ユニット４０の室内側内周面を平坦面で構成することができる。特に、下枠１１において下網戸アタッチ材５１の上面部５１ａをレール部１１ｂの上端と略同じ高さとすることで、下枠１１の敷居面を室内側から室外側に渡るまで略平坦とすることができる。また、スライドバー４１及び網戸４３が下網戸アタッチ材５１の下案内凹部５１ｂと上網戸アタッチ材５５の上案内凹部５５ｂによって長手方向に案内されるので、網戸ユニット４０よる網戸４３の開閉を確実に行うことができる。
【００４３】
次に、収納部４２における網戸ユニット４０の調整について説明する。図１０には、網戸ユニット４０の下部の斜視図を示している。この図に示すように、網戸４３は収納部４２の下端部４２ａに回転自在に支持された巻取り部４２ｅに巻き取られている。巻取り部４２ｅは、下端部４２ａの下面に設けられる調整部４２ｃによって網戸４３の収納速度が調整される。
【００４４】
巻取り部４２ｅの調整は、調整部４２ｃをドライバ等で回転操作することによって行われる。これにより、網戸４３の引き出し速度を調整することができる。この調整を行う調整部４２ｃは、収納部４２の内部に設けられているため、通常は操作することができない。調整部４２ｃの操作を行うためには、図３に示すように収納部４２の室内面及びスライドバー４１より室内側の内周面を構成する取り外し部４２ｄを取り外す必要がある。
【００４５】
図１０に示すように、収納部４２の下端部４２ａには、上面から上方に突出するように係止部４２ｆと回転係合部４２ｇが形成されている。取り外し部４２ｄは、スライドバー４１側の端部が係止部４２ｆに係止され、それと反対側の端部が回転係合部４２ｇに係合されることにより、収納部４２に対して固定される。取り外し部４２ｄは、スライドバー４１側端部に、室内側に面する突き当て面部４２ｈが形成されていて、その室外側で係止部４２ｆに対して係止されている。これにより、係止部分を室内側に露出させることがなく、また突き当て面部４２ｈを持って容易に取り外し部４２ｄを取り外すことができる。
【００４６】
取り外し部４２ｄを収納部４２から取り外すには、図３に示すようにまず係止部４２ｆに対する取り外し部４２ｄの係止を解除し、回転係合部４２ｇを中心として取り外し部４２ｄを室内側に回動させる。調整部４２ｃを調整するには、取り外し部４２ｄを回転係合部４２ｇに係合させたままでもよいし、あるいは回転係合部４２ｇから取り外し部４２ｄを完全に取り外してもよい。
【００４７】
前述のように、取り外し部４２ｄは収納部４２の下端部４２ａ以外の領域に設けられている。図９に示すように下端部４２ａは下網戸アタッチ材５１より下方に配置され、取り外し部４２ｄはそれより上方に配置されることとなるので、下網戸アタッチ材５１等を取り外すことなく取り外し部４２ｄを取り外して調整を行うことができる。
【００４８】
以上、本発明の実施形態について説明したが、本発明の適用は本実施形態には限られず、その技術的思想の範囲内において様々に適用されうるものである。本実施形態では、枠体１に固定障子２を設け、その一方側に可動障子３を設けて、その室外側に網戸ユニット４０を設けたものについて説明したが、固定障子２の両側にそれぞれ可動障子３を設けるサッシであっても、本発明を適用することができる。その際には、左右の可動障子３の室外側にそれぞれ網戸ユニット４０を設けることとなる。また、本実施形態では取り外し部４２ｄは収納部４２から完全に取り外すことができるように構成しているが、回転係合部４２ｇ側について、取り外し部４２ｄが外れることなく回動するように支持することにより、取り外し部４２ｄを開閉自在として調整部４２ｃを操作できるようにしてもよい。
【図面の簡単な説明】
【００４９】
【図１】本実施形態における下枠フラットサッシの正面図である。
【図２】下枠フラットサッシの縦断面図である。
【図３】下枠フラットサッシの横断面図である。
【図４】網戸ユニットの斜視図である。
【図５】網戸ユニットが取付けられる領域における下枠フラットサッシの縦断面図である。
【図６】上枠と下枠に対する上枠アタッチ材及び下枠アタッチ材の取付について表した縦断面図である。
【図７】上枠と下枠にそれぞれ上枠アタッチ材と下枠アタッチ材を取付け、さらに網戸ユニットを取付けた状態の縦断面図である。
【図８】下枠アタッチ材に対する下網戸アタッチ材の取付を表した斜視図である。
【図９】下枠アタッチ材に下網戸アタッチ材を取付けた状態の斜視図である。
【図１０】網戸ユニットの下部の斜視図である。
【符号の説明】
【００５０】
１    枠体
２    固定障子
３    可動障子
４    固定框体
５    可動框体
６    パネル体
１０    上枠
１１    下枠
１２    縦枠
１３    樹脂上枠
１４    樹脂下枠
１５    樹脂縦枠
４０    網戸ユニット
４１    スライドバー
４２    収納部
４２ａ  下端部
４２ｂ  ボス部
４２ｃ  調整部
４２ｄ  取り外し部
４３    網戸
５０    下枠アタッチ材
５０ａ  ユニット取付面
５０ｂ  保持部
５１    下網戸アタッチ材
５１ａ  上面部
５１ｂ  下案内凹部
５２    レール部材
５４    上枠アタッチ材
５４ａ  ユニット取付面
５４ｂ  保持部
５５    上網戸アタッチ材
５５ａ  下面部
５５ｂ  上案内凹部
【図１】
2009299444.tif 000003
【図２】
2009299444.tif 000004
【図３】
2009299444.tif 000005
【図４】
2009299444.tif 000006
【図５】
2009299444.tif 000007
【図６】
2009299444.tif 000008
【図７】
2009299444.tif 000009
【図８】
2009299444.tif 000010
【図９】
2009299444.tif 000011
【図１０】
2009299444.tif 000012